(57)【要約】
【課題】本考案は、理容師等が散髪を行なう際の身体的負担を軽減し、肩こりや腱鞘炎などを予防する理美容鋏を提供することを目的とする。
【構成】刃体3,7を有する刃部材2,6と、この刃部材2,6に指孔5,9が形成された柄部4,8とを供え、１対の刃部材2,6を上下に重ね開閉自在に軸支した理美容鋏1において、刃部材2における刃体3に対する柄部4の傾きを１５°〜３５°とし、刃部材6における刃体7に対する柄部8の傾きを３５°〜８０°としたことを特徴とする。
【選択図】　　　　図１
0003099804.tif 000002
【実用新案登録請求の範囲】
【請求項１】
刃体を有する刃部材と、この刃部材に指孔が形成された柄部とを供え、１対の前記刃部材を上下に重ね開閉自在に軸支した理美容鋏において、該刃部材の一方において前記刃体に対する前記柄部の傾きを１５°〜３５°とし、該刃部材の他方において前記刃体に対する前記柄部の傾きを３５°〜８０°としたことを特徴とする理美容鋏。
【請求項２】
前記柄部に角度調節用ネジを設けたことを特徴とする請求項１記載の理美容鋏。
【請求項３】
前記刃部材の他方における指孔の大きさを前記刃部材の一方の指孔より大きくしたことを特徴とする請求項１又は２記載の理美容鋏。
【請求項４】
前記刃部材の一方に指掛け部を設けたことを特徴とする請求項１乃至３のいずれか１項記載の理美容鋏。
【請求項５】
前記指孔の外周に突起部を設けたことを特徴とする請求項１乃至４のいずれか１項記載の理美容鋏。
【考案の詳細な説明】
【技術分野】
【０００１】
　本考案は、理髪店や美容院等で主に理容師又は美容師が使用する散髪用の理美容鋏に関するものである。
【背景技術】
【０００２】
　従来、理髪店や美容院等（以下、理髪店）で使用される理美容鋏であるハサミ101は、図４に示すように、刃体103,107と指孔105,109が形成された柄部104,108とからなる刃部材102,106を、柄部104,108が水平軸に対し対象となるように連結部110で開閉自在に軸支されて構成されている。また、図５に示すハサミ121のように、１対の刃部材122,126のうち下部を構成する刃部材126の柄部128が刃体127に対し傾いて形成されているとともに、上部を構成する刃部材122の柄部124が刃体123に対し直線上に形成され、これらの刃部材122,126を連結部130で開閉自在に軸支されたものがある。
【考案の開示】
【考案が解決しようとする課題】
【０００３】
　しかしながら、図６に示すように、上記のような従来のハサミ101を用いて理容師が散髪、調髪を行なう場合、刃体103,107を水平に保つためには、ハサミ101を持っている方の肘132を肩131と同じ高さ又は肘132を肩131よりも高く上げて散髪を行なわなければならず、散髪中、理容師は不自然な姿勢を強いられるとともに、ハサミ101の重量が手首133にかかることによって、肩131や手首133に大きな負担がかかり、肩こりや腱鞘炎等を引き起こす原因になっていた。具体的には、肘を高く上げるために僧帽筋、三角筋が緊張するだけでなく、無理な姿勢を維持し続けることによって、胸鎖乳突筋や大胸筋が疲労し、さらに、ハサミの使いすぎによる上腕二頭筋腱腱鞘、小指屈曲筋腱腱鞘や短指屈曲筋腱腱鞘における腱鞘炎を引き起こしていた。また、ハサミ121のように刃部材123が傾いていても、ハサミ121の開閉動作における理容師の負担を十分に解消することができず、肩こり等を防止することができなかった。
【０００４】
　本発明はこのような問題点に鑑みてなされたもので、理容師等が散髪を行なう際の身体的負担を軽減し、肩こりや腱鞘炎などを予防する理美容鋏を提供することを目的とする。
【課題を解決するための手段】
【０００５】
　上記目的を達成するために、本考案の理美容鋏は、刃体を有する刃部材と、この刃部材に指孔が形成された柄部とを供え、１対の前記刃部材を上下に重ね開閉自在に軸支した理美容鋏において、該刃部材の一方において前記刃体に対する前記柄部の傾きを１５°〜３５°とし、該刃部材の他方において前記刃体に対する前記柄部の傾きを３５°〜８０°としたことを特徴とする。
【０００６】
　このように構成した本考案に係る理美容鋏は、刃部材において柄部が刃体に対し傾いているので、理美容鋏を持つ方の肘を肩より高く上げる必要がなく、自然な姿勢で散髪を行なうことができ、肩や手首の負担を軽減し、肩こりや腱鞘炎などを未然に防ぐことができる。
【０００７】
　また、柄部に角度調節用のネジを設け、これにより刃体に対する柄部の傾きを変えるようにしてもよい。
【０００８】
　このように構成した場合は、角度を種々変化させることができるので、自分の体に合った角度に調節することができ、さらに、複数人が同じ理美容鋏を使用する環境においても、それぞれが自分に合った状態で使用することができる。
【０００９】
　ここで、鋏の下側を構成する刃部材の指孔の大きさを、上側を構成する刃部材の指孔より大きくしたものであってもよい。
【００１０】
　このように構成した場合には、指と理美容鋏のフィット感が向上し、散髪による疲労をより低減することができる。
【００１１】
　また、刃部材の指孔の外周部に指掛け部を設けてもよい。
【００１２】
　このように構成した場合は、指掛け分に薬指又は小指を掛けることができるため、理美容鋏を握る力が増大し、理美容鋏の開閉動作が容易になるとともに、効率的に散髪をすることができる。
【００１３】
　ここで、指孔の外周部に突起部を設けてもよい。
【００１４】
　このように構成した場合は、刃体に対する柄部の角度がそれぞれ異なる刃部材を組み合わせた場合においても、刃同士がちょうど対向する位置で刃部材が止まるように調節して連結部により軸支することができるので、無駄な動きを無くし、より使い勝手の良い理美容鋏を提供することができる。
【考案の効果】
【００１５】
　本考案における請求項１に記載の理美容鋏によれば、刃体に対し柄部が傾いていることにより、理美容鋏を持つ方の肘を肩より高く上げる必要がなくなり、肩や手首の負担を軽減し、肩こりや腱鞘炎を未然に防ぐことができる。
【００１６】
　また、請求項２に記載の理美容鋏によれば、角度が調節ネジにより自由に変更することができるので、自分に合った角度に理美容鋏を調節でき、より疲労を低減することができる。
【００１７】
　また、請求項３に記載の理美容鋏によれば、指を入れやすくなるので、フィット感が増すとともに、散髪による疲労をより低減することができる。
【００１８】
　また、請求項４に記載の理美容鋏によれば、薬指又は小指を有効的に使うことができるので、効率的な散髪を行なうことができ、疲労を低減することができる。
【００１９】
　さらに、請求項５に記載の理美容鋏によれば、刃をちょうど良い位置で常に使用することができるので、使い勝手の良い理美容鋏を提供することができる。
【考案を実施するための最良の形態】
【００２０】
　本考案の理美容鋏は、肩こりや腱鞘炎などを未然に防ぐという目的を達成するため、指孔を設けた柄部を、刃体に対して傾けて形成した。以下図面を参照して、本考案の実施例について説明する。
【００２１】
　本考案に係る理美容鋏の構成について図１を参照して説明する。図１は本考案に係る理美容鋏の外観を示す正面図である。
【００２２】
　図１に示されるように、理美容鋏であるハサミ1は、１対の刃部材2,6を上下に重ね、刃部材2,6のほぼ中央に予め形成されている貫通孔に連結部材10を挿入し、開閉自在に軸支されて構成されている。ハサミ1の上側を構成する刃部材2の一側には刃aが設けられた刃体3が形成され、同じくハサミ1の下側を構成する刃部材6の一側にも、図示しない刃が形成された刃体7が形成されており、これらの刃が対向するように刃部材2を上側にして構成されている。
【００２３】
　刃部材2は、指孔5を形成した柄部4が刃体3と連続して設けられ、柄部4は水平軸に対し１５°〜３５°傾いて形成されている。また、刃部材6は、指孔9を形成した柄部8が刃体7と連続して設けられ、柄部8は水平軸に対し３５°〜８０°傾いて形成されている。このように、刃部材2の方が、刃体3に対する柄部4の傾きが小さくなるように形成されているので、従来と違和感なくハサミ1を握ることができるようになっている。さらに、柄部4には指の形状に合わせた湾曲部13が形成されている。
【００２４】
　ハサミ1の下側を構成する刃部材6の指孔9は、親指を挿入しやすいように上側を構成する刃部材2の指孔5に比べ大きく形成されている。また、指孔5の外周部には指掛け部11が連続的に形成されている。この指掛け部11は指の形に合わせて下方に湾曲して形成してもよい。さらに、指孔9の外周部で指孔5に対向する部分に突起部12が設けられており、その大きさは刃同士がちょうど対向する位置で刃部材2,6が止まるように形成されていて、これにより、無駄なストロークをしなくて済むようにストッパーの役割を果たしている。突起部12は、指孔5の外周部に設けてもよく、また、指孔5と指孔９の両方に設けてもよい。
【００２５】
　次に、上記構成の作用について図２を参照して説明する。図２は本考案に係る理美容鋏を使用したときの肘の位置を模式的に表す構成図である。
【００２６】
　理容師は指孔9に親指21を、指孔5に中指22をそれぞれ通し、薬指23を指掛け部11に引っ掛けてハサミ1を手に固定する。被散髪者の襟足や耳の周りなどを散髪する際には理容師はハサミ1の刃体3,7を略水平方向に保つ必要がある。このとき、柄部4,8が刃体3,7に対し傾いて形成されているので、理容師は肘24を肩26より高く上げなくても、また、肘24をわき腹へ付けるようにした状態でも刃体3,7を水平に保つことができ、さらに、ハサミ1の重量を手首25だけでなく、上腕の筋肉27によっても支えられることになるので、手首25や肩26の負担を軽減し、過度な疲労を防止し、肩こりや腱鞘炎を予防することができる。
【００２７】
　以上のようにハサミ1を構成することで、理容師がひじを高く上げる必要がなく、自然な姿勢で散髪ができ、肩こりや腱鞘炎を効果的に予防することができる。
【００２８】
　さらに、上述のハサミ1の別の実施形態について、図３を参照して説明する。図３は、本考案に係る理美容鋏の別の実施形態を示す外観正面図である。尚、簡単のため同様の部材には同様の符号を付し、説明を省略する。
【００２９】
　本実施形態におけるハサミ31の刃部材32,33は、刃体3,7と柄部4,8が別部材により構成され、それぞれに形成された貫通孔に角度調節用ネジ34を挿入し図示しないナットに螺合させることによって、固定されている。本実施形態においては、このような構成を用いることにより、刃体3,7と柄部4,8の角度を種々変えることができ、自分に合った角度に調節することができ、さらに同じハサミ31を複数人が使用しても、それぞれが自分に合った状態でハサミを使用することができる。
【００３０】
　以上のようにハサミ31を構成することにより、自分の使いやすい角度に柄部4,8の傾きを調節することができ、個々に合ったハサミを提供できるほか、複数人が同じハサミ31を使用する環境においても、ハサミ31を調節することにより、それぞれが自分に適した状態で使用することができる。
【図面の簡単な説明】
【００３１】
【図１】本考案に係る理美容鋏の外観を示す正面図である。
【図２】本考案に係る理美容鋏を使用したときの肘の位置を模式的に表す構成図である。
【図３】本考案に係る理美容鋏の別の実施形態を示す外観正面図である。
【図４】第１の従来例を示す図である。
【図５】第２の従来例を示す図である。
【図６】第１の従来例における肘の位置を模式的に表す構成図である。
【符号の説明】
【００３２】
　1　　理美容鋏（ハサミ）
　2,6　刃部材
　3,7　刃体
　4,8　柄部
　5,9　指孔
　11　指掛け部
　12　突起部
　32,33　刃部材
　34　角度調節用ネジ
【図１】
0003099804.tif 000003
【図２】
0003099804.tif 000004
【図３】
0003099804.tif 000005
【図４】
0003099804.tif 000006
【図５】
0003099804.tif 000007
【図６】
0003099804.tif 000008